(57)【要約】【課題】締め付け管理が容易で、しかも管種等によって外径が異なる場合にも対応できる筐体装置と、その筐体装置の装着方法を提供する。【解決手段】周方向の少なくとも１箇所に分割部１０を有し、シール材を介して水道管の外周面を密封状態で取り囲む環状のケース体と、分割部１０を締め付けることにより、前記ケース体を構成する複数の分割片を接合する締結具とを備える。前記分割片の周方向端部に設けられた接合面１４には、突起２１と、その突起２１よりも突出量の小さい突起２２とが形成されている。突起２１は、分割部１０を締め付けたときに、隙間Ｇ１を分割部１０に規定可能に構成されている。突起２２は、突起２１を取り除いて分割部１０を締め付けたときに、隙間Ｇ１よりも小さい隙間を分割部１０に規定可能に構成されている。【選択図】図４
2019143682.tif 000002
【特許請求の範囲】
【請求項１】
周方向の少なくとも１箇所に分割部を有し、シール材を介して流体管の外周面を密封状態で取り囲む環状のケース体と、
前記分割部を締め付けることにより、前記ケース体を構成する複数の分割片を接合する締結具と、を備え、
前記分割片の周方向端部に設けられた接合面に、第１の突起と、前記第１の突起よりも突出量の小さい第２の突起とが形成されていて、
前記第１の突起は、前記分割部を締め付けたときに、第１の隙間を前記分割部に規定可能であり、
前記第２の突起は、前記第１の突起を取り除いて前記分割部を締め付けたときに、前記第１の隙間よりも小さい第２の隙間を前記分割部に規定可能である筐体装置。
【請求項２】
前記第１の突起及び／または前記第２の突起が、前記分割部を締め付けたときに互いに突き合わせられる一対の突起片で構成されている請求項１に記載の筐体装置。
【請求項３】
前記接合面に第３の突起が形成されていて、
前記分割部を締め付ける過程で前記第３の突起の側面が前記第２の突起の側面と接触するように構成されている請求項１または２に記載の筐体装置。
【請求項４】
前記接合面に第４の突起が形成されていて、
前記シール材に、前記分割部を締め付けたときに前記ケース体の内部空間にはみ出すはみ出し部が形成されており、
前記第４の突起が、前記はみ出し部の形成箇所における前記シール材の外側面に当接している請求項１〜３いずれか１項に記載の筐体装置。
【請求項５】
周方向の少なくとも１箇所に分割部を有し、シール材を介して流体管の外周面を密封状態で取り囲む環状のケース体と、
前記分割部を締め付けることにより、前記ケース体を構成する複数の分割片を接合する締結具と、を備え、
前記分割片の周方向端部に設けられた接合面に、前記分割部を締め付けたときに隙間を前記分割部に規定可能な突起部と、前記分割片同士の相対的な位置ずれを抑制可能な凹凸部とが形成されていて、
前記突起部を取り除いて前記分割部を締め付けたときに、相対する前記接合面が互いに密着するように構成されている筐体装置。
【請求項６】
周方向の少なくとも１箇所に分割部を有する環状のケース体と、前記分割部を締め付けるための締結具とを備えた筐体装置の装着方法であって、
前記ケース体を構成する複数の分割片の周方向端部に設けられた接合面には、第１の突起と、前記第１の突起よりも突出量の小さい第２の突起とが形成されており、前記第１の突起は、前記分割部を締め付けたときに第１の隙間を前記分割部に規定可能であり、
前記ケース体で流体管の外周面を密封状態で取り囲む際、前記第１の突起を取り除いた前記分割部を締め付けて複数の前記分割片を接合し、前記第１の隙間よりも小さい第２の隙間を前記第２の突起によって前記分割部に規定することを特徴とする筐体装置の装着方法。
【請求項７】
前記分割部を締め付けたときに、前記第２の突起を構成する一対の突起片を互いに突き合わせ、それによって前記第２の隙間を前記分割部に規定する請求項６に記載の筐体装置の装着方法。
【請求項８】
前記分割部を締め付ける過程で、前記接合面に形成された第３の突起の側面を前記第２の突起の側面に対して接触させる請求項６または７に記載の筐体装置の装着方法。
【請求項９】
前記分割部を締め付けることで、前記ケース体の内部に配置されたシール材のはみ出し部を前記ケース体の内部空間にはみ出させるとともに、前記接合面に形成された第４の突起を、前記はみ出し部の形成箇所における前記シール材の外側面に当接させておく請求項６〜８いずれか１項に記載の筐体装置の装着方法。
【請求項１０】
周方向の少なくとも１箇所に分割部を有する環状のケース体と、前記分割部を締め付けるための締結具とを備えた筐体装置の装着方法であって、
前記ケース体を構成する複数の分割片の周方向端部に設けられた接合面には、前記分割部を締め付けたときに隙間を前記分割部に規定可能な突起部と、前記分割片同士の相対的な位置ずれを抑制可能な凹凸部とが形成されており、
前記ケース体で流体管の外周面を密封状態で取り囲む際、前記突起部を取り除いた前記分割部を締め付けて複数の前記分割片を接合し、前記凹凸部によって前記分割片同士の相対的な位置ずれを抑制しつつ、相対する前記接合面を互いに密着させることを特徴とする筐体装置の装着方法。
【発明の詳細な説明】
【技術分野】
【０００１】
本発明は、流体管に装着される筐体装置及びその筐体装置の装着方法に関する。
【背景技術】
【０００２】
従来、水道管などの流体管の継手部で流体が漏洩したときに、筐体装置を用いて補修を行う場合がある。この筐体装置は、分割構造を有する環状のケース体と、そのケース体の分割部を締め付ける締結具とを備える。ケース体がシール材を介して流体管の外周面を密封状態で取り囲むことにより、漏洩した流体は内部空間内に留められ、流体の外部への漏出を防止できる。このような筐体装置は、例えば特許文献１に記載されている。また、筐体装置の別の例として、不断水工法で用いられる割Ｔ字管が挙げられる。このような筐体装置は、例えば特許文献２，３に記載されている。
【０００３】
筐体装置を流体管に装着する作業者は、締結具の操作によりケース体の分割部を締め付けて、ケース体を構成する複数の分割片を接合する。その際、分割部の隙間の大きさを視認することにより、または締結具のトルクに基づいて、締め付け管理を行うことができる。ところが、図１０（ａ）及び（ｂ）に示すように、シール材８１の圧縮に応じて分割部８０の隙間Ｇ８が規定される構成では、その隙間Ｇ８の大きさにバラツキを生じやすく、施工上、締め付け管理が煩雑であった。
【０００４】
これに対し、特許文献３の図５に記載されているように、分割部の接合面に突起（スペーサ）を形成することが考えられる。これによれば、突起の突出量（高さ）に応じて分割部の隙間が規定されるため、締め付け管理が容易となる。しかし、かかる筐体装置は、特定の外径を有する流体管に対して用いることができ、それとは外径が異なる流体管には用いることができない。そのため、例えば、呼び径φ２００の鋳鉄管（外径：２２０．０ｍｍ）に用いられる筐体装置は、同じ呼び径φ２００の鋼管（外径：２１６．３ｍｍ）には対応できず、経済的でない。
【先行技術文献】
【特許文献】
【０００５】
【特許文献１】特開２００２−２７６６３６号公報
【特許文献２】特開２００６−１９４３４４号公報
【特許文献３】特開２００６−２１４４５１号公報
【発明の概要】
【発明が解決しようとする課題】
【０００６】
本発明は上記実情に鑑みてなされたものであり、その目的は、締め付け管理が容易で、しかも管種等によって外径が異なる場合にも対応できる筐体装置と、その筐体装置の装着方法を提供することにある。
【課題を解決するための手段】
【０００７】
本発明に係る筐体装置は、周方向の少なくとも１箇所に分割部を有し、シール材を介して流体管の外周面を密封状態で取り囲む環状のケース体と、前記分割部を締め付けることにより、前記ケース体を構成する複数の分割片を接合する締結具と、を備え、前記分割片の周方向端部に設けられた接合面に、第１の突起と、前記第１の突起よりも突出量の小さい第２の突起とが形成されていて、前記第１の突起は、前記分割部を締め付けたときに、第１の隙間を前記分割部に規定可能であり、前記第２の突起は、前記第１の突起を取り除いて前記分割部を締め付けたときに、前記第１の隙間よりも小さい第２の隙間を前記分割部に規定可能である。
【０００８】
かかる構成によれば、分割部を締め付けたときに、接合面に形成された第１の突起によって第１の隙間を分割部に規定できる。また、必要に応じて第１の突起を取り除くことにより、分割部を締め付けたときに、接合面に形成された第２の突起によって第２の隙間を分割部に規定できる。いずれにしても、ケース体の分割部の締め付け管理が容易となる。しかも、分割部に規定する隙間として、第１の隙間と、それよりも小さい第２の隙間とを適宜に選択できるため、管種等によって外径が異なる場合にも対応することができる。
【０００９】
前記第１の突起及び／または前記第２の突起が、前記分割部を締め付けたときに互いに突き合わせられる一対の突起片で構成されていることが好ましい。これにより、分割部の隙間に介在するシール材を均等に圧縮することができる。また、各分割片の接合面に突起片が形成されることで、それらの分割片を他に流用するときに都合がよい場合がある。
【００１０】
前記接合面に第３の突起が形成されていて、前記分割部を締め付ける過程で前記第３の突起の側面が前記第２の突起の側面と接触するように構成されているものが好ましい。かかる構成によれば、分割片同士の相対的な位置ずれを抑制する効果が得られる。
【００１１】
前記接合面に第４の突起が形成されていて、前記シール材に、前記分割部を締め付けたときに前記ケース体の内部空間にはみ出すはみ出し部が形成されており、前記第４の突起が、前記はみ出し部の形成箇所における前記シール材の外側面に当接しているものが好ましい。かかる構成によれば、シール材のはみ出し部がケース体の内部空間にはみ出す量を確保するうえで有用である。
【００１２】
本発明に係る別の筐体装置は、周方向の少なくとも１箇所に分割部を有し、シール材を介して流体管の外周面を密封状態で取り囲む環状のケース体と、前記分割部を締め付けることにより、前記ケース体を構成する複数の分割片を接合する締結具と、を備え、前記分割片の周方向端部に設けられた接合面に、前記分割部を締め付けたときに隙間を前記分割部に規定可能な突起部と、前記分割片同士の相対的な位置ずれを抑制可能な凹凸部とが形成されていて、前記突起部を取り除いて前記分割部を締め付けたときに、相対する前記接合面が互いに密着するように構成されたものである。
【００１３】
かかる構成によれば、分割部を締め付けたときに、接合面に形成された突起部によって隙間を分割部に規定できる。また、必要に応じて突起部を取り除くことにより、分割部を締め付けたときに、相対する接合面が互いに密着する。いずれにしても、ケース体の分割部の締め付け管理が容易となる。また、凹凸部によって分割片同士の相対的な位置ずれを抑制できる。しかも、分割部に隙間が規定された状態と、分割部に隙間の無い状態とを適宜に選択できるため、管種等によって外径が異なる場合にも対応することができる。
【００１４】
本発明に係る筐体装置の装着方法は、周方向の少なくとも１箇所に分割部を有する環状のケース体と、前記分割部を締め付けるための締結具とを備えた筐体装置の装着方法であって、前記ケース体を構成する複数の分割片の周方向端部に設けられた接合面には、第１の突起と、前記第１の突起よりも突出量の小さい第２の突起とが形成されており、前記第１の突起は、前記分割部を締め付けたときに第１の隙間を前記分割部に規定可能であり、前記ケース体で流体管の外周面を密封状態で取り囲む際、前記第１の突起を取り除いた前記分割部を締め付けて複数の前記分割片を接合し、前記第１の隙間よりも小さい第２の隙間を前記第２の突起によって前記分割部に規定するものである。
【００１５】
この筐体装置をそのまま使用した場合は、第１の突起によって第１の隙間が分割部に規定されるが、この方法では、第１の突起を取り除いていることにより、第１の突起よりも突出量の小さい第２の突起によって第２の隙間が分割部に規定される。いずれにしても、ケース体の分割部の締め付け管理が容易となる。しかも、分割部に規定する隙間として、第１の隙間と、それよりも小さい第２の隙間とを適宜に選択できるため、管種等によって外径が異なる場合にも対応することができる。
【００１６】
前記分割部を締め付けたときに、前記第２の突起を構成する一対の突起片を互いに突き合わせ、それによって前記第２の隙間を前記分割部に規定することが好ましい。これにより、分割部の隙間に介在するシール材を均等に圧縮することができる。また、各分割片の接合面に突起片が形成されることで、それらの分割片を他に流用するときに都合がよい場合がある。
【００１７】
前記分割部を締め付ける過程で、前記接合面に形成された第３の突起の側面を前記第２の突起の側面に対して接触させるものが好ましい。かかる方法によれば、分割片同士の相対的な位置ずれを抑制する効果が得られる。
【００１８】
前記分割部を締め付けることで、前記ケース体の内部に配置されたシール材のはみ出し部を前記ケース体の内部空間にはみ出させるとともに、前記接合面に形成された第４の突起を、前記はみ出し部の形成箇所における前記シール材の外側面に当接させておくものが好ましい。かかる方法によれば、シール材のはみ出し部がケース体の内部空間にはみ出す量を確保するうえで有用である。
【００１９】
本発明に係る別の筐体装置の装着方法は、周方向の少なくとも１箇所に分割部を有する環状のケース体と、前記分割部を締め付けるための締結具とを備えた筐体装置の装着方法であって、前記ケース体を構成する複数の分割片の周方向端部に設けられた接合面には、前記分割部を締め付けたときに隙間を前記分割部に規定可能な突起部と、前記分割片同士の相対的な位置ずれを抑制可能な凹凸部とが形成されており、前記ケース体で流体管の外周面を密封状態で取り囲む際、前記突起部を取り除いた前記分割部を締め付けて複数の前記分割片を接合し、前記凹凸部によって前記分割片同士の相対的な位置ずれを抑制しつつ、相対する前記接合面を互いに密着させるものである。
【００２０】
この筐体装置をそのまま使用した場合は、突起部によって隙間が分割部に規定されるが、この方法では、突起部を取り除いていることにより、相対する接合面が互いに密着し、分割部に隙間の無い状態となる。いずれにしても、ケース体の分割部の締め付け管理が容易となる。また、凹凸部によって分割片同士の相対的な位置ずれを抑制できる。しかも、分割部に隙間が規定された状態と、分割部に隙間の無い状態とを適宜に選択できるため、管種等によって外径が異なる場合にも対応することができる。
【図面の簡単な説明】
【００２１】
【図１】本発明の第１実施形態に係る筐体装置を示す半断面図
【図２】図１の筐体装置を軸方向から見たときの半断面図
【図３】図２のＣ−Ｃ断面図
【図４】分割部の正面図
【図５】第１の突起を取り除いた分割部の正面図
【図６】本発明の第２実施形態に係る筐体装置を示す正面図
【図７】図６の筐体装置を構成する分割片を示す平面図
【図８】本発明の他の実施形態に係る分割部の正面図
【図９】本発明の他の実施形態に係る突起形状を示す正面図
【図１０】従来の筐体装置が備えるケース体の分割部を示す断面図
【発明を実施するための形態】
【００２２】
本発明の実施の形態について図面を参照しながら説明する。
【００２３】
［第１実施形態］
第１実施形態では、図１〜５を参照して、既設の水道管の継手部の漏洩補修に用いられる筐体装置を例示する。図１は、筐体装置としての漏洩補修装置の半断面図である。図１の上半分は図２のＢ−Ｂ断面に相当するが、水道管は断面でなく外観で示している。図２は、その漏洩補修装置を軸方向から見たときの半断面図である。図２の上半分は図１のＡ−Ａ断面に相当する。図３は、図２のＣ−Ｃ断面図である。図４，５は、それぞれケース体の分割部の正面図であり、図示の都合上、締結具を省略して描いている。
【００２４】
図１，２では、漏洩補修装置１（筐体装置の一例）によって、既設の水道管Ｋ（流体管の一例）の継手部が補修され、継手部から漏洩した流体が外部へ漏出しないように処置されている。本実施形態では、水道管Ｋが、呼び径φ２００のダクタイル鋳鉄管（外径Ｄ１：２２０．０ｍｍ）である例を示す。漏洩補修装置１は、周方向の少なくとも１箇所（本実施形態では３箇所）に分割部１０を有し、シール材１１を介して水道管Ｋの外周面を密封状態で取り囲む環状のケース体１２と、その分割部１０を締め付けるための締結具１３とを備える。
【００２５】
ケース体１２は、水道管Ｋの外周に周隙間を形成するように外嵌装着され、その内部に密閉空間が形成されている。ケース体１２は、例えばダクタイル鋳鉄によって形成される。ケース体１２は、円筒状に形成されており、その両端部と水道管Ｋとの間がシール材１１で密封されている。ケース体１２は、複数の分割片１２ａ〜１２ｃで構成されており、本実施形態では三つ割り構造であるが、これに限られない。締結具１３は、分割部１０を締め付けることにより、ケース体１２を構成する複数の分割片１２ａ〜１２ｃを接合する。締結具１３は、ボルトとナットで構成されている。
【００２６】
シール材１１は、分割片１２ａ〜１２ｃの各々に取り付けられている。分割片１２ａ〜１２ｃの周方向端部には、それぞれ接合面１４が設けられている。シール材１１は、図３のように、ケース体１２の両端部の間で連続しており、接合面１４に沿って水道管Ｋの軸方向に延在している。接合面１４はフランジ状に設けられていて、その表面に形成された溝１５にシール材１１が嵌入されている。図３（及び後述する図７）では、図面上での区別を容易にするためシール材１１をグレーに着色して描いている。
【００２７】
各分割部１０では、一対の接合面１４，１４が互いに対向し、締結具１３の締め付けに伴って互いに密着したシール材１１，１１が分割部１０の隙間を密封する。分割片１２ａ〜１２ｃは、それぞれ、図２に示すような円弧状の部材であり、その両端部に設けられた接合面１４，１４には、それぞれ締結具１３のボルトを挿通するためのボルト孔１４ｈが設けられている。上方に配置された分割片１２ｃには圧力抜き用プラグ１６が設けられているが、この点を除き、分割片１２ａ〜１２ｃの基本的な構造は同じである。
【００２８】
図４は、分割部１０において互いに対向する一対の接合面１４，１４を示しており、図１のＤ矢視に相当する。接合面１４には、突起２１（第１の突起に相当）と、その突起２１よりも突出量の小さい突起２２（第２の突起に相当）とが形成されている。突起２１，２２の突出量は、接合面１４を基準とした高さである。突起２１は、接合面１４と一体的に設けられており、ケース体１２の材料（例えば、ダクタイル鋳鉄などの金属）によって形成されている。このことは、突起２２及び後述する突起２３においても同じである。
【００２９】
本実施形態では、突起２１が、分割部１０を締め付けたときに互いに突き合わせられる一対の突起片２１ａ，２１ｂで構成されている。突起２１の突出量は、その一対の突起片２１ａ，２１ｂの突出量（高さ）の合計として表される。突起２２は、同じく一対の突起片２２ａ，２２ｂで構成されており、その突起２２の突出量は一対の突起片２２ａ，２２ｂの突出量（高さ）の合計である。突起２２の突出量は突起２１の突出量よりも小さいため、一対の突起片２１ａ，２１ｂを互いに突き合わせた状態では、図４のように一対の突起片２２ａ，２２ｂの間に隙間が形成される。
【００３０】
分割部１０を締め付けた状態では、一対の接合面１４，１４の間に突起２１が介在し、その突起２１の突出量（即ち、一対の突起片２１ａ，２１ｂの突出量の合計）に応じた大きさの隙間Ｇ１（第１の隙間に相当）が規定される。このように、突起２１は、分割部１０を締め付けたときに、隙間Ｇ１を分割部１０に規定可能に構成されている。突起２１の突出量は、ケース体１２が水道管Ｋの外周面を密封するのに望ましい隙間が分割部１０に規定されるよう、つまりはシール材１１を密着させるうえで適度な大きさの隙間が分割部１０に規定されるよう、所定の寸法に設定されている。
【００３１】
水道管Ｋに漏洩補修装置１を装着する作業者は、分割部１０を締め付けて複数の分割片１２ａ〜１２ｃを接合する際、突起２１によって隙間Ｇ１が規定されるまで締結具１３を操作するだけでよい。つまり、一対の接合面１４，１４の間で突起２１が挟まれる（一対の突起片２１ａ，２１ｂが互いに突き合わせられる）まで分割部１０を締め付ければよく、それによって突起２１の突出量に相当する隙間Ｇ１が分割部１０に規定される。シール材１１の圧縮に応じて分割部１０の隙間が規定されるものではないため、隙間の大きさにバラツキを生じることなく、施工上、締め付け管理が容易である。
【００３２】
本実施形態では、突起２１が、分割部１０を締め付けたときに互いに突き合わせられる一対の突起片２１ａ，２１ｂで構成されている。これにより、分割部１０の隙間に介在するシール材１１，１１を均等に圧縮することができる。また、各分割片の接合面に突起片が形成されることで、それらの分割片を他に流用するときに都合がよい場合がある。例えば、後述するような割Ｔ字管の下側の分割片３２ａを二つ使用して漏洩補修装置のケース体として流用することが可能となる。但し、これに限られず、一対の突起片２１ａ，２１ｂの突出量の合計に相当する突出量を有した１つの突起２１を、一対の接合面１４，１４の一方のみに形成した構造でも構わない。このことは、突起２２においても同じである。
【００３３】
突起２１の突出量は、呼び径φ２００のダクタイル鋳鉄管（外径Ｄ１：２２０．０ｍｍ）である水道管Ｋの外周面にシール材１１を密着させるうえで望ましい隙間Ｇ１を規定するように設定されている。そのため、水道管Ｋと外径が異なる流体管に漏洩補修装置１をそのまま適用しても、適度な密封状態が得られない。例えば、水道管Ｋとは外径が異なる呼び径φ２００の鋼管（外径：２１６．３ｍｍ）に装着した場合、その突起２１によって規定される隙間Ｇ１が必要以上に大きいため、シール材１１が十分に圧縮されない恐れがある。しかし、この漏洩補修装置１は、そのように管種等によって外径が異なる場合にも対応可能である。
【００３４】
図５は、突起２１を取り除いたときの、分割部１０において互いに対向する一対の接合面１４，１４を示す。ここで、突起２１を取り除くことには、図５のように突起２１を完全に取り払う場合のみならず、突起２１の突出量を小さくして突起２２の突出量と同等かそれ以下にすることにより、突起２１が「第１の突起」に該当しない状態にする場合も含まれる。突起２１は、例えばディスクグラインダーを用いた切削加工により取り除くことができる。この作業は、施工現場で行ってもよいが、装置を施工現場に運搬する前に予め行うことも可能である。
【００３５】
図５では、突起２１を取り除いているため、突起２２を構成する一対の突起片２２ａ，２２ｂが互いに突き合わされている。分割部１０を締め付けた状態では、一対の接合面１４，１４の間に突起２２が介在し、その突起２２の突出量（即ち、一対の突起片２２ａ，２２ｂの突出量の合計）に応じた大きさの隙間Ｇ２（第２の隙間に相当）が規定される。このように、突起２２は、突起２１を取り除いて分割部１０を締め付けたときに、隙間Ｇ１よりも小さい隙間Ｇ２を分割部１０に規定可能に構成されている。突起２２の突出量は、水道管Ｋよりも外径の小さい流体管（例えば、呼び径φ２００の鋼管）の外周面を密封するのに望ましい隙間が分割部１０に規定されるよう、所定の寸法に設定されている。
【００３６】
締結具１３を操作して複数の分割片１２ａ〜１２ｃを接合する際の作業は、突起２１を取り除いていない場合と同じであるが、一対の接合面１４，１４の間では突起２２が挟まれ（一対の突起片２２ａ，２２ｂが互いに突き合わせられ）、その突起２２の突出量に相当する隙間Ｇ２が分割部１０に規定される。この場合も、シール材１１の圧縮に応じて分割部１０の隙間が規定されるものではないため、施工上、締め付け管理が容易である。
【００３７】
このように、漏洩補修装置１は、突起２１を取り除くか否かを選択することによって、分割部１０に規定される隙間Ｇ１を隙間Ｇ２に変更するオプションを有しているため、異なる外径の水道管に対応できる。本実施形態であれば、呼び径φ２００のダクタイル鋳鉄管に装着する場合は、図４のように突起２１を残した状態で使用され、呼び径φ２００の鋼管に装着する場合は、図５のように突起２１を取り除いた状態で使用されるが、いずれの場合も分割部１０の締め付け管理は容易である。しかも、管種等によって外径が異なる場合でも同じ漏洩補修装置１で対応できるため、経済的である。
【００３８】
本実施形態では、接合面１４に突起２３（第３の突起に相当）が形成されている。突起２３の側面は、図５のように分割部１０を締め付ける過程で突起２２の側面と接触するように構成されている。かかる構成によれば、水道管Ｋの軸方向における分割片同士の相対的な位置ずれを抑制する効果が得られる。突起２２，２３の側面は、それぞれ水道管Ｋの周方向（図５では上下方向）に対して傾いた傾斜面により形成されている。突起２３は、ケース体１２の軸方向の中央部に配置されており、分割部１０の締め付けによって一対の突起２２の間に嵌入される。突起２３の側面は、突起２２の側面に対して面接触するが、これに限られず、線接触（例えば、図９（ａ）参照）や点接触であっても位置ずれを抑制する効果が得られる。
【００３９】
本実施形態では、図４，５のように分割部１０を正面から見たときに、突起２１及び突起２２が、それぞれケース体１２の軸方向の中央部を挟んで左右２箇所に配置されている。分割部１０を締め付ける際は、これらが左右で均等に当接するまで締め付ければよく、そうすることで適切に締め付け管理ができる。突起２１及び／または突起２２は、図３のように接合面１４の外側の端面に配置されていることが好ましい。これによって作業者が突起２１，２２の状態を視認しやすくなり、作業性を向上できる。
【００４０】
本実施形態では、突起２１及び突起２２が、それぞれ接合面１４と一体的に設けられている例を示したが、これに限られず、例えば、突起２１及び／または突起２２を接合面１４に対して着脱自在に構成してもよい。かかる構成によれば、突起２１を簡単に取り除くことができるとともに、取り除いた突起２１を復旧させることも可能になる。このような場合であっても、突起２１及び突起２２は、シール材１１よりも硬質の材料で形成され、好ましくは樹脂材料や金属材料などの剛体によって形成される。
【００４１】
［第２実施形態］
第２実施形態では、図６，７を参照して、既設の水道管の不断水工法に用いられる筐体装置を例示する。図６は、筐体装置としての外弁箱の正面図である。図７は、その外弁箱を構成する複数の分割片のうち、下側の分割片を示す平面図である。第２実施形態は、以下に説明する事項の他は第１実施形態と同様であるので、なるべく共通点を省略して主に相違点について説明する。第１実施形態で説明したものと同じ部材には同一の符号を付し、重複した説明を省略する。
【００４２】
図６，７は、既設の水道管Ｋの不断水工法に用いられる弁装置の外弁箱３（筐体装置の一例）を示す。外弁箱３は、周方向の少なくとも１箇所（本実施形態では２箇所）に分割部３０を有し、シール材３１を介して水道管Ｋ（図７では図示せず）の外周面を密封状態で取り囲む環状のケース体３２と、分割部３０を締め付けることにより、ケース体３２を構成する複数の分割片３２ａ，３２ｂを接合する締結具３３とを備える。ケース体３２は、上下二つ割りの割Ｔ字管として構成されている。ケース体３２は、例えばダクタイル鋳鉄によって形成される。
【００４３】
分割片３２ａ，３２ｂの周方向端部には、それぞれフランジ状の接合面３４が設けられている。下側の分割片３２ａには、図７のようにシール材３１が取り付けられており、シール材３１は、接合面３４に形成された溝３５に嵌入されている。上側の分割片３２ｂにおいても、これと同様にシール材が取り付けられている。各分割部３０では、一対の接合面３４，３４が互いに対向し、締結具３３の締め付けに伴って互いに密着したシール材３１が分割部３０の隙間を密封する。上側の分割片３２ｂには、上方へ向けて開口した開口部３６が設けられている。
【００４４】
外弁箱３（のケース体３２）の内部には、弁体を内蔵した内弁箱（図示せず）が収容され、その内弁箱の上方が弁蓋（図示せず）によって施蓋される。弁体は、その弁蓋に支持された弁軸の操作に応じて昇降または回転自在に構成されており、その弁体の昇降または回転に応じて、水道管Ｋ内を流れる水の流路の遮断または切替が行われる。内弁箱は、全体として円筒状をなし、その軸方向を上下に向けた状態で開口部３６を通じて外弁箱３の内部に配置される。外弁箱３と内弁箱との間は、シール材３１（のはみ出し部３１ｐ）によって密封される。かかる弁装置は、例えば本出願人による特開２０１６−１７３１３３号公報に記載されている。
【００４５】
接合面３４には、突起４１（第１の突起に相当）と、その突起４１よりも突出量の小さい突起４２（第２の突起に相当）とが形成されている。突起４１は、分割部３０を締め付けたときに隙間Ｇ１’（第１の隙間に相当）を分割部３０に規定し、突起４２は、突起４１を取り除いて分割部３０を締め付けたときに、隙間Ｇ１’よりも小さい隙間（第２の隙間に相当）を分割部３０に規定する。分割部３０において互いに対向する一対の接合面３４，３４は、図６に示されているが、この拡大図については第１実施形態で示した図４，５を参照できる。
【００４６】
図６（及び図４，５）のように、突起４１及び突起４２は、いずれも分割部３０を締め付けたときに互いに突き合わせられる一対の突起片で構成されている。図７に示す突起片４１ａ，４２ａは、それぞれ突起４１，突起４２を構成する一対の突起片の片方である。また、接合面３４には、突起４３（第３の突起に相当）が形成されている。これら第１〜第３の突起に相当する突起４１〜４３の詳しい構成と作用については、第１実施形態において既に説明した通りである。
【００４７】
本実施形態では、シール材３１に、分割部３０を締め付けたときにケース体３２の内部空間にはみ出すはみ出し部３１ｐが形成されている。はみ出し部３１ｐは、ケース体３２の内部空間にはみ出すことで、ケース体３２の内部に配置された部材（即ち、内弁箱）に当接し、その部材と外弁箱３との間を密封する。はみ出し部３１ｐは、ケース体３２の軸方向の中央部を挟んで左右２箇所に設定されているが、これに限られず、例えば１箇所でも構わない。
【００４８】
既述のように、この外弁箱３では、突起４１が形成された状態で分割部３０を締め付ける場合と、突起４１を取り除いて分割部３０を締め付ける場合があり得る。後者の場合は、分割部３０の締め付け量が相対的に大きいため、はみ出し部３１ｐが十分にはみ出やすいが、前者の場合は、分割部３０の締め付け量が相対的に小さいため、はみ出し部３１ｐが十分にはみ出ない恐れがある。そこで、はみ出し部３１ｐが十分にはみ出るよう、接合面３４に突起４４（第４の突起に相当）が形成されている。突起４４は、はみ出し部３１ｐの形成箇所におけるシール材３１の外側面に当接している。
【００４９】
この突起４４により、シール材３１のはみ出し部３１ｐの形成箇所での外側（流体管の径方向外側）への膨出が抑えられ、その結果、突起４１が形成されている状態で分割部３０を締め付ける場合において、はみ出し部３１ｐの内側への（即ち、ケース体３２の内部空間への）はみ出しを促すことができる。突起４１を取り除いて分割部３０を締め付ける場合は、必要に応じて、突起４４やはみ出し部３１ｐ周辺の溝壁を取り除いて（削り取って）はみ出し量を調整してもよい。これにより、突起４１が存する場合とそうでない場合とで、はみ出し部３１ｐがはみ出す量を同等にできる。
【００５０】
また、図７に示すように、接合面３４に形成された溝３５内に突起４５（言わば、第５の突起）を形成しておき、その突起４５によってはみ出し部３１ｐの内側へのはみ出しを促すようにしてもよい。かかる構成は、上述した締め付け量の差が大きい場合において特に有用である。突起４５は、突起４４に代えてまたは加えて形成することが可能である。
【００５１】
次に、不断水工法によって弁装置を設置する手順の一例について、簡単に説明する。まずは、水道管（例えば、呼び径φ２００の鋳鉄管）の管路のうち所要の区域に外弁箱３を装着する。このとき、締結具３３の操作によって分割部３０を締め付け、分割片３２ａに分割片３２ｂを接合し、分割部３０の隙間をシール材３１によって密封する。より外径の小さい水道管（例えば、呼び径φ２００の鋼管）に装着する場合は、突起４１を取り除いた分割部３０を締め付けて分割片３２ａ，３２ｂを接合し、突起４１により規定される隙間Ｇ１’よりも小さい隙間を突起４２によって分割部３０に規定する。
【００５２】
締結具３３による分割部３０の締め付けが完了したら、開口部３６に穿孔装置であるホールソーを取り付け、不断水状態で水道管を切断する。必要に応じてドレン３７を開放して排水を行い、切断により発生した切屑を外部に排出する。水道管の切断が完了したら、ホールソーを引き上げる。そして、弁体を内蔵した内弁箱を外弁箱３の内部に挿入し、その上方を弁蓋で施蓋して弁装置の設置作業を完了する。外弁箱３のプラグ３８を取り外したときに水が続けて排出されるか否かに基づいて、外弁箱３と内弁箱との間のシール性能を確認できる。
【００５３】
［第３実施形態］
第３実施形態では、図８を参照して、既設の水道管の継手部の漏洩補修に用いられる筐体装置を例示する。第３実施形態は、以下に説明する事項の他は第１実施形態と同様であるので、ケース体や締結具などの共通点は省略して、主に相違点について説明する。第１実施形態で説明したものと同じ部材には同一の符号を付し、重複した説明を省略する。第３実施形態で説明する分割部の構成は、不断水工法に用いられる筐体装置にも適用可能である。
【００５４】
図８の例では、接合面１４に、分割部１０を締め付けたときに隙間Ｃを分割部１０に規定可能な突起部５１と、分割片同士の相対的な位置ずれを抑制可能な凹凸部５３とが形成されている。突起部５１及び凹凸部５３は、それぞれ前述の実施形態における突起２１（第１の突起），突起２３（第３の突起）と同様の形状を有するため、重複した説明を省略する。但し、凹凸部５３は、一対の接合面１４，１４のうち一方に形成された凸部分が、他方に形成された凹部分に嵌まることで、分割片同士の相対的な位置ずれを抑制する。凹凸部５３は、後述する図９のような形状でもよい。
【００５５】
図８（ａ）は、分割部１０を締め付けた状態を示す。分割部１０には、突起部５１によって隙間Ｃが形成されている。突起部５１の突出量は、相対的に外径の大きい流体管（例えば、呼び径φ２００のダクタイル鋳鉄管）にシール材１１（図８では図示せず）を密着させるうえで適度な大きさの隙間Ｃが分割部１０に規定されるよう、所定の寸法に設定されている。作業者は、突起部５１によって隙間Ｃが規定されるまで、締結具１３（図８では図示せず）を操作して分割部１０を締め付けるだけでよいため、締め付け管理が容易である。
【００５６】
図８（ｂ）は、突起部５１を取り除いて分割部１０を締め付けた状態を示す。相対する接合面１４，１４が互いに密着しており、分割部１０には隙間が無い。このケース体は、相対する接合面１４，１４が互いに密着したときに、相対的に外径の小さい流体管（例えば、呼び径φ２００の鋼管）にシール材１１が適度に密着するように設計されている。作業者は、相対する接合面１４，１４が互いに密着するまで分割部１０を締め付けるだけでよいため、締め付け管理が容易である。また、凹凸部５３によって分割片同士の相対的な位置ずれを抑制できるとともに、突起部５を取り除くか否かを選択することで、異なる外径の流体管に対応できる。
【００５７】
［他の実施形態］
前述の第１実施形態では、突起２１を取り除いて分割部１０を締め付ける過程で、突起２３の側面が突起２２の側面と接触する例を示したが、これに限られない。例えば図９（ａ）のように、突起２１が形成されている分割部を締め付ける過程で、突起２３の側面を突起２２の側面に接触させ、それによって分割片同士の相対的な位置ずれを抑制してもよい。図９（ａ）では、突起２３の側面が突起２２の側面に線接触している。図９（ｂ）は、突起２１を取り除いて分割部を締め付けた状態を示し、突起２３の側面が突起２２の側面に面接触している。突起２２，２３の側面は、その途中から傾斜面で形成されており、これによって位置ずれを抑制する効果を高めている。かかる形状は、第２実施形態でも適用可能である。
【００５８】
前述の実施形態では、ダクタイル鋳鉄管または鋼管としての水道管Ｋに筐体装置を装着する例を示したが、これに限られず、塩ビ管など他の材料で形成された流体管を対象にすることもできる。
【００５９】
本発明に係る筐体  装置は、水道管に適用できるものであるが、これに限られず、水以外の各種の液体、気体などの流体に用いる流体管に幅広く適用できる。
【００６０】
本発明は上述した実施形態に何ら限定されるものではなく、本発明の趣旨を逸脱しない範囲内で種々の改良変更が可能である。
【符号の説明】
【００６１】
１      漏洩補修装置（筐体装置の一例）
３      外弁箱（筐体装置の一例）
１０    分割部
１１    シール材
１２    ケース体
１２ａ  分割片
１２ｂ  分割片
１２ｃ  分割片
１３    締結具
１４    接合面
２１    突起（第１の突起）
２１ａ  突起片
２１ｂ  突起片
２２    突起（第２の突起）
２２ａ  突起片
２２ｂ  突起片
２３    突起（第３の突起）
３０    分割部
３１    シール材
３１ｐ  はみ出し部
３２    ケース体
３３    締結具
３４    接合面
４１    突起（第１の突起）
４２    突起（第２の突起）
４３    突起（第３の突起）
４４    突起（第４の突起）
４５    突起（第５の突起）
５１    突起部
５３    凹凸部
Ｃ      隙間
Ｇ１    隙間（第１の隙間）
Ｇ２    隙間（第２の隙間）
【図１】
2019143682.tif 000003
【図２】
2019143682.tif 000004
【図３】
2019143682.tif 000005
【図４】
2019143682.tif 000006
【図５】
2019143682.tif 000007
【図６】
2019143682.tif 000008
【図７】
2019143682.tif 000009
【図８】
2019143682.tif 000010
【図９】
2019143682.tif 000011
【図１０】
2019143682.tif 000012